(57)【特許請求の範囲】
【請求項１】
装置本体の正面に化粧パネルが装着されているリモコンであって、前記化粧パネルの所定位置に設けられた開口部から、前記装置本体の正面に設けられた押しボタン式のスイッチを押下操作するための化粧ボタンの操作面が前記化粧パネルの正面に露出するように設けられているものにおいて、
前記化粧ボタンは、前記化粧パネルの開口部に嵌合可能な形状の操作面を有するボタン本体部と、このボタン本体部の基端部外周に形成されたフランジ部と、このフランジ部の張出方向に延出して形成され、前記化粧パネルと接着されることによって前記ボタン本体部に対して押下操作に抗する弾性を付与する化粧ボタン取付部とを有してなり、
前記ボタン本体部は、略長方形状の操作面を有する略柱状を呈するとともに、該ボタン本体部の長手方向両端に張り出した前記フランジ部に、前記化粧パネルの背面と対面する面に前記化粧パネルに向かって突出する凸状部が形成され、
前記ボタン本体部の操作面の長手方向のいずれかの端部が操作されたときに、操作された端部とは反対の端部に形成されているフランジ部を揺動支点として、前記化粧ボタンが押しボタン式のスイッチを押し込むように構成されている
ことを特徴とするリモコン。
【請求項２】
装置本体の正面に化粧パネルが装着されているリモコンであって、前記化粧パネルの所定位置に設けられた開口部から、前記装置本体の正面に設けられた押しボタン式のスイッチを押下操作するための化粧ボタンの操作面が前記化粧パネルの正面に露出するように設けられているものにおいて、
前記化粧ボタンは、前記化粧パネルの開口部に嵌合可能な形状の操作面を有するボタン本体部と、このボタン本体部の基端部外周に形成されたフランジ部と、このフランジ部の張出方向に延出して形成され、前記化粧パネルと接着されることによって前記ボタン本体部に対して押下操作に抗する弾性を付与する化粧ボタン取付部とを有してなり、
前記ボタン本体部は、略長方形状の操作面を有する略柱状を呈し、
前記化粧パネルは、前記化粧ボタンにおいて、前記ボタン本体部の長手方向両端に張り出した前記フランジ部と対面する部位に前記フランジ部に向かって突出する凸状部が形成され、
前記ボタン本体部の操作面の長手方向のいずれかの端部が操作されたときに、操作された端部とは反対の端部に形成されているフランジ部を揺動支点として、前記化粧ボタンが押しボタン式のスイッチを押し込むように構成されている
ことを特徴とするリモコン。
【請求項３】
前記化粧ボタンは、複数のボタン本体部を有してなり、隣接する各ボタン本体部が前記化粧ボタン取付部を介して連結されていることを特徴とする請求項１または２に記載のリモコン。
【請求項４】
前記化粧ボタンは、前記ボタン本体部が透明または半透明に形成されるとともに、前記ボタン本体部の基端面はその中央領域が下方に張り出す略円弧状の曲面を呈するように構成されていることを特徴とする請求項１から３のいずれかに記載のリモコン。
【発明の詳細な説明】
【技術分野】
【０００１】
この発明はリモコンに関し、より詳細には、装置本体の正面に化粧パネルが装着されているリモコンにおいて、装置本体の正面に設けられた押しボタン式のスイッチを押下操作するために化粧パネルに取り付けられる化粧ボタンと化粧パネルの構造に関する。
【背景技術】
【０００２】
給湯装置などに用いられるリモコンは、一般に、リモコンの電装部品を収容した装置本体と、この装置本体の正面に装着される化粧パネルとで構成されている。
【０００３】
ところで、このようなリモコンにおいて、装置本体の正面に押しボタン式のスイッチを設ける場合、この押しボタン式スイッチの操作部（押下げられる部分）が化粧パネルの正面に露出するように、押しボタン式のスイッチ自体を装置本体の正面から突出させる構成を採用するのが構造的にはシンプルであるが、デザイン上の観点から、化粧ボタンを介在させて、この化粧ボタンによって押しボタン式のスイッチを操作するように構成することがある。
【０００４】
たとえば、リモコン表面に露出する押しボタン式のスイッチの操作ボタンに透明感を与えたいような場合には、透明な材料で化粧ボタンを形成し、この化粧ボタンの背面（装置本体と対向する面）に白色などの着色（印刷）を施すことがある（たとえば、特許文献１参照）。
【先行技術文献】
【特許文献】
【０００５】
【特許文献１】特開２０００−１７５７３７号公報
【発明の概要】
【発明が解決しようとする課題】
【０００６】
しかしながら、このような化粧ボタンを用いて押しボタン式のスイッチを操作する構成には以下のような問題があり、その改善が望まれていた。
【０００７】
すなわち、化粧ボタンの背面に印刷を施す場合、当該化粧ボタンの背面には段差を設けることができないので、当該化粧ボタンの背面は断面が略円弧状となる曲面（Ｒ面）とされ、その頂点部分（押しボタン式スイッチに最も近接する部分）を用いて押しボタン式のスイッチを押し込むように構成しているが、たとえば、この化粧ボタンの操作面（化粧パネルの正面に露出する化粧ボタンの正面）が略長方形状に形成されるような場合には、化粧ボタンの背面の長手方向両端付近は押しボタン式のスイッチとの距離が離れてしまうことから、上記操作面の長手方向両端のうち一端付近を押下操作したときには押しボタン式のスイッチが十分に押し込まれない事態が起こり得る。
【０００８】
また、このような事態の発生を回避するために、化粧ボタンの基端部外周にフランジを形成しておき、操作面の長手方向両端のうちの一端が押下操作されたときには、操作が行われた端部とは反対側の端部にあるフランジを化粧パネルの背面と接触させて、この接触部分を揺動支点にして化粧ボタンを押下げるようにすることも考えられるが、この種の化粧ボタンは、一般に樹脂成型品とされることから、成型されたフランジが押しボタン式のスイッチ側に反っている場合があり、そのような場合、化粧ボタンの長手方向の一端を押下げても他端側のフランジが化粧パネルの背面に接触せずに（または、接触が不十分となって）、化粧ボタンの揺動支点として機能せず、押しボタン式のスイッチが予定通りに押し込まれない事態が起こり得る。
【０００９】
そして、このように押しボタン式のスイッチの押し込みが不十分となる場合、化粧ボタンの操作者には押しボタン式のスイッチが押し込まれる際に生ずるクリック感が伝わらず、物足りない感触（手ごたえ）が残るという問題があった。
【００１０】
本発明は、このような問題点に鑑みてなされたものであって、その目的とするところは、化粧ボタンを介して押しボタン式のスイッチを操作するように構成されたリモコンにおいて、化粧ボタンの操作面のどこを押しても十分な手ごたえをもって押しボタン式のスイッチが確実に押し込まれるリモコンを提供することにある。
【課題を解決するための手段】
【００１１】
上記目的を達成するため、本発明の請求項１に係るリモコンは、装置本体の正面に化粧パネルが装着されているリモコンであって、上記化粧パネルの所定位置に設けられた開口部から、上記装置本体の正面に設けられた押しボタン式のスイッチを押下操作するための化粧ボタンの操作面が上記化粧パネルの正面に露出するように設けられているものにおいて、上記化粧ボタンは、上記化粧パネルの開口部に嵌合可能な形状の操作面を有するボタン本体部と、このボタン本体部の基端部外周に形成されたフランジ部と、このフランジ部の張出方向に延出して形成され、上記化粧パネルと接着されることによって上記ボタン本体部に対して押下操作に抗する弾性を付与する化粧ボタン取付部とを有してなり、上記ボタン本体部は、略長方形状の操作面を有する略柱状を呈するとともに、該ボタン本体部の長手方向両端に張り出した上記フランジ部に、上記化粧パネルの背面と対面する面に上記化粧パネルに向かって突出する凸状部が形成され、上記ボタン本体部の操作面の長手方向のいずれかの端部が操作されたときに、操作された端部とは反対の端部に形成されているフランジ部を揺動支点として、上記化粧ボタンが押しボタン式のスイッチを押し込むように構成されていることを特徴とする。
【００１２】
すなわち、この請求項１に係る発明では、リモコンの装置本体の正面に設けられた押しボタン式のスイッチを押下操作するための化粧ボタンが、ボタン本体部の基端部外周に形成されるフランジ部からその張出方向に延出して形成されている化粧ボタン取付部を化粧パネルに接着することによって、ボタン本体部に押下操作に抗する弾性を付与しつつ、化粧パネルに取り付けられている。
【００１３】
その際、このリモコンでは、上記フランジ部において化粧パネルの背面と対面する面に化粧パネルに向かって突出する凸状部が形成されていることから、フランジ部と化粧パネルの背面との接触にあたり、フランジ部がこの凸状部の高さに応じて反った状態で当接されることとなる。つまり、フランジ部の成型にあたり、フランジ部が化粧パネルの背面から離れる方向に反っていた場合であっても、フランジ部に形成された上記凸状部がこの反りを吸収するように作用して、フランジ部が化粧パネルの背面に確実に当接される（接触する）ことになる。そのため、このリモコンでは、化粧ボタンの操作面の中央部分から外れた端部（ボタン本体部の操作面の長手方向のいずれかの端部）に対して押下操作がなされた場合でも、当該操作がなされた端部と操作面の中央部分を挟んで反対の位置にあるフランジ部は化粧パネルの背面と接触しているので、当該接触部分を揺動支点として化粧ボタンが押し下げられることとなり、押しボタンスイッチを確実に押し込むことができる。
【００１４】
また、本発明の請求項２に記載のリモコンは、装置本体の正面に化粧パネルが装着されているリモコンであって、上記化粧パネルの所定位置に設けられた開口部から、上記装置本体の正面に設けられた押しボタン式のスイッチを押下操作するための化粧ボタンの操作面が上記化粧パネルの正面に露出するように設けられているものにおいて、上記化粧ボタンは、上記化粧パネルの開口部に嵌合可能な形状の操作面を有するボタン本体部と、このボタン本体部の基端部外周に形成されたフランジ部と、このフランジ部の張出方向に延出して形成され、上記化粧パネルと接着されることによって上記ボタン本体部に対して押下操作に抗する弾性を付与する化粧ボタン取付部とを有してなり、上記ボタン本体部は、略長方形状の操作面を有する略柱状を呈し、上記化粧パネルは、上記化粧ボタンにおいて、上記ボタン本体部の長手方向両端に張り出した上記フランジ部と対面する部位に上記フランジ部に向かって突出する凸状部が形成され、上記ボタン本体部の操作面の長手方向のいずれかの端部が操作されたときに、操作された端部とは反対の端部に形成されているフランジ部を揺動支点として、上記化粧ボタンが押しボタン式のスイッチを押し込むように構成されていることを特徴とする。
【００１５】
すなわち、上記請求項１に係る発明では、化粧ボタンのフランジ部と化粧パネルの背面とを密着させるためにフランジ部に凸状部を設けていたのに対し、この請求項２に係る発明では、化粧パネルにおいて、化粧ボタンのフランジ部と対面する部位にフランジ部に向かって突出する凸状部を形成させている。したがって、このリモコンにおいても、フランジ部と化粧パネルの背面との接触は、化粧パネルの背面に設けられた凸状部によってなされるので、フランジ部の成型にあたり、フランジ部が化粧パネルの背面から離れる方向に反っていても、化粧パネルに形成された凸状部がこの反りを吸収するように作用して、フランジ部が化粧パネルの背面と確実に当接することになる。そのため、このリモコンにおいても、化粧ボタンの操作面の中央部分から外れた端部に対して押下操作が行われた場合、当該操作がなされた端部と操作面の中央部分を挟んで反対の位置にあるフランジ部は化粧パネルの背面と接触しているので、この接触部分を揺動支点として化粧ボタンが押し下げられることとなり、押しボタンスイッチを確実に押し込むことができる。
【００１９】
また、本発明の請求項３に記載のリモコンは、請求項１または２のいずれかに記載のリモコンにおいて、上記化粧ボタンは、複数のボタン本体部を有してなり、隣接する各ボタン本体部が上記化粧ボタン取付部を介して連結されていることを特徴とする。
【００２０】
すなわち、この請求項３に係る発明では、化粧ボタンが複数のボタン本体部を有しており、隣接する各ボタン本体部が上記化粧ボタン取付部を介して連結されているので、化粧パネルに化粧ボタンを取り付ける際に一度に多くの化粧ボタンを取り付けることができ、化粧ボタンの取付に要する手間を少なくすることができる。
【００２１】
また、本発明の請求項４に記載のリモコンは、請求項１から３のいずれかに記載のリモコンにおいて、上記化粧ボタンは、上記ボタン本体部が透明または半透明に形成されるとともに、上記ボタン本体部の基端面はその中央領域が下方に張り出して略円弧状の曲面を呈するように構成されていることを特徴とする。
【００２２】
すなわち、この請求項４に係る発明では、化粧ボタンのボタン本体部が、透明または半透明に形成され、ボタン本体部の基端面はその中央領域が下方に張り出す略円弧状の曲面を呈するように構成されているので、化粧ボタンの背面に着色などの印刷処理を施すことができ、見栄えの良いリモコンを提供することができる。
【発明の効果】
【００２３】
本発明によれば、化粧ボタンは押下操作に抗する弾性が付与された状態で、かつ、化粧ボタンの基端部外周に形成されるフランジと化粧パネルの背面とが確実に接触しているので、化粧ボタンの操作面の中央部だけでなく、操作面の端部を操作したときでも、常に、押しボタン式のスイッチが押し込まれ、操作者に心地よいクリック感を伝えつつ押しボタン式のスイッチを確実に操作できるようになる。
【００２４】
また、本発明によれば、化粧ボタンの操作面が略長方形状に形成され、押しボタン式のスイッチを操作するために必要となる化粧ボタンの押下げストロークが深くなる場合であっても、化粧ボタンの長手方向両端に形成されるフランジ部を可及的に長く設定することで、化粧ボタンの押下操作が容易に行えて押しボタン式のスイッチを確実に操作でき、操作者に心地よいクリック感を伝えることができる。
【図面の簡単な説明】
【００２５】
【図１】本発明に係るリモコンの外観構成の一例を示す斜視図である。
【図２】同リモコンの化粧パネルの背面の状態の一例を示す正面図である。
【図３】同リモコンの化粧ボタンの構成を説明する説明図であって、図３（ａ）は化粧ボタンの正面図を、図３（ｂ）は図３（ａ）のｂ−ｂ線に沿った断面図を示している。
【図４】同リモコンの化粧ボタンの外観を示す部分拡大斜視図である。
【図５】同リモコンにおいて化粧パネルに化粧ボタンを取り付ける手順を示す説明図であって、図５（ａ）は化粧ボタンを取り付ける前の化粧パネルの状態を示す部分拡大斜視図であり、図５（ｂ）は化粧ボタンを化粧パネルに取り付けた状態を示す部分拡大斜視図である。
【図６】同リモコンにおいて、化粧ボタンの押下操作に伴う化粧ボタンの動作を示す説明図であって、図６（ａ）は押下操作前の状態を示す化粧ボタン周辺の部分拡大断面図であり、図６（ｂ）は押下操作時の状態を示す化粧ボタン周辺の部分拡大断面図である。
【図７】同リモコンの他の実施形態において、化粧ボタンの押下操作に伴う化粧ボタンの動作を示す説明図であって、図７（ａ）は押下操作前の状態を示す化粧ボタン周辺の部分拡大断面図であり、図７（ｂ）は押下操作時の状態を示す化粧ボタン周辺の部分拡大断面図である。
【発明を実施するための形態】
【００２６】
以下、本発明の実施形態を図面に基づいて詳細に説明する。
実施形態１
本発明に係るリモコンは、給湯装置などの被操作機器を遠隔操作するために用いられる遠隔操作装置であって、図１は、本発明を浴室の壁面に設置されるタイプのリモコンに適用した状態を図示している。
【００２７】
この図１に示すリモコン１は、装置本体２（図６参照）と、この装置本体２の正面に装着される化粧パネル３と、上記装置本体２の正面に備えられた押しボタン式のスイッチ５（図６参照）を押下操作するために設けられた化粧ボタン４とを主要部として構成されている。
【００２８】
装置本体２は、リモコン１が給湯装置（図示せず）の遠隔操作装置として機能するために必要な各種電装部品を筐体内に収容してなるもので、その正面には、上記化粧ボタン４を介して操作されるようになっている押しボタン式のスイッチ５と、リモコン１の表示部を構成する表示デバイス（たとえば、液晶パネルなど）６と、上記化粧ボタン４を用いずに操作可能とされている複数の操作スイッチを整列配置してなる操作スイッチ群７などが配設されている。
【００２９】
化粧パネル３は、ＡＢＳ樹脂などの樹脂材料からなる一体成型品であって、上記装置本体２の正面と上下左右の側面を収容・被覆できるように容器状に形成されており、この化粧パネル３の内側の空間に上記装置本体２が嵌合・収容されるようになっている。
【００３０】
そして、この化粧パネル３には、上記装置本体２を化粧パネルに収容した際に、上記表示デバイス６および上記操作スイッチ群７が化粧パネル３の正面に露出されるように、これらに対応する位置を開口してなる表示部等の露出窓８が形成されている。
【００３１】
また、化粧パネル３の上記押しボタン式のスイッチ５に対応する所定位置には、押しボタン式のスイッチ５の数に応じてそれぞれ化粧ボタン挿通窓（開口部）９が開口されている（図２参照）。図１に示す化粧パネル３では、この化粧ボタン挿通窓９が、上記表示部等の露出窓８の両側にそれぞれ３個ずつ上下に等間隔で並列して配設されている。なお、化粧ボタン挿通窓９の開口形状は、後述する化粧ボタン４のボタン本体部１２（操作面１２ａ）の形状に応じて、ボタン本体部１２に形成される操作面１２ａが化粧ボタン挿通窓９に嵌合（挿通）可能な形状に設定される。
【００３２】
化粧パネル３の背面は、図２に示すように、上記化粧ボタン４を化粧パネル３に取り付けるときに化粧ボタン４の位置決めに用いるガイドリブ１０と、上記化粧ボタン４を化粧パネル３に接着（具体的には超音波溶着）する際に化粧ボタン４と溶着させるための接着リブ１１とが設けられている。ガイドリブ１０は、後述する化粧ボタン４の形状に合わせて、化粧パネル３の背面の適所に突出して設けられており（図５（ａ）参照）、このガイドリブ１０で囲まれた部分に化粧ボタン４を嵌め合わせることで、化粧ボタン４の位置決めができるようになっている（図５（ｂ）参照）。また、接着リブ１１は、上下に配置された上記化粧ボタン挿通窓９，９の間の中間位置にそれぞれ設けられている（図２参照）。
【００３３】
化粧ボタン４は、アクリル樹脂などの樹脂材料で構成された透明または半透明の一体成型品であって、上記化粧パネル３に取り付けられた状態で、化粧パネル３の外側から化粧パネル３の内側に設けられた押しボタン式のスイッチ５を操作するために用いられる部品である。
【００３４】
具体的には、この化粧ボタン４は、図３および図４に示すように、ボタン本体部１２と、このボタン本体部１２の基端部外周に形成されるフランジ部１３と、このフランジ部１３の張出方向に延出して形成される所定形状の化粧ボタン取付部１４とを有して構成されている。
【００３５】
ボタン本体部１２は、図４に示すように、その正面側の先端部に左右に細長い略長方形状の操作面１２ａを有する略柱状のブロックで構成されている。なお、操作面１２ａは、上記押しボタン式のスイッチ５を操作する際にユーザが直接指で触れる部位（化粧ボタン４の操作面となる部位）であることから、他のボタン本体部１２と区別できるように点字に類する点字突起部１５が適宜形成されている。
【００３６】
また、このボタン本体部１２は、その背面側の基端面１２ｂの中央領域が下方に張り出された略円弧状の曲面（Ｒ面）を呈するように構成されている。具体的には、図３（ｂ）に示すように、基端面１２ｂの中央部分が最も下方に張り出して形成されるとともに、ボタン本体１２の長手方向に向かって緩やかな曲線を描きながらフランジ部１３に差し掛かったところでこの張り出し部分がなくなるようなＲ面を呈している。なお、本実施形態では、上述したように、ボタン本体部１２は透明または半透明になっているので、この基端面１２ｂを白色などで着色（印刷）することによって、化粧ボタン４に意匠効果が施されている。
【００３７】
フランジ部１３は、上記ボタン本体部１２の基端部の外周を水平方向に張り出して形成された薄い板状の部位であって、このフランジ部１３は、化粧ボタン４を化粧パネル３に取り付けたときに、上記化粧ボタン挿通窓９の背面周縁部分と重なって化粧ボタン４が化粧パネル３の正面側に過剰に突出するのを防止する役割を担っている。
【００３８】
そして、本実施形態では、上記ボタン本体部１２の長手方向両端に形成されたフランジ部１３ａは、ボタン本体部１２の長手方向に沿って形成されているフランジ部１３ｂに比して長く張り出して形成されている。
【００３９】
ここで、ボタン本体部１２の長手方向両端に形成されたフランジ部１３ａを長く張り出しているのは、後述するように、ボタン本体部１２の操作面１２ａの左右いずれかの端部が操作されたときには、操作された端部とは反対の端部に形成されているフランジ部１３ａを揺動支点として化粧ボタン４が押しボタン式のスイッチ５を押し込むように作用することになるので、フランジ部１３ａを長く設定する（つまり、揺動支点を操作者の力が加わる力点から遠ざける）ことによって、化粧ボタン４が深く押し下げられるようにするためである。
【００４０】
したがって、ボタン本体部１２の長手方向両端に形成されるフランジ部１３ａは可及的に長く設定するのが好ましい。すなわち、化粧パネル３の背面の構造（具体的には、ボタン本体１２の配設位置の左右両側の空きスペース）との関係で許される範囲で可能な限り長く設定される。
【００４１】
そして、本実施形態では、このように長く張り出して形成されたフランジ部１３ａにおいて、上記化粧パネル３の背面と対面する面に化粧パネル３に向かって突出する凸状部１６が形成されている。この凸状部１６は、化粧ボタン４を化粧パネル３に取り付けたときに、フランジ部１３（具体的には、フランジ部１３ａに形成された凸状部１６）と化粧パネル３の背面とが常に接触状態を保つように（換言すれば、これらの間に隙間が生じないように）するために設けられている。すなわち、このボタン本体部１２の長手方向両端に形成されるフランジ部１３ａは、上述したように、操作時に化粧ボタン４の揺動支点となることがあるので、常に化粧パネル３の背面と接触状態を維持して遊び（隙間）がない状態を保ち、揺動支点として機能し得るようにしている。
【００４２】
そのため、この凸状部１６の高さ寸法（フランジ部１３ｂにおいて化粧パネル３の背面と対面する面からの高さ寸法）Ｌ１は（図３（ｂ）参照）、上述した機能を果たし得るように設定される。具体的には、この高さ寸法Ｌ１は、フランジ部１３ａを成型する際に生じるフランジ部１３ａの反り（フランジ部１３ａが化粧パネル３の背面から離れる方向に生じる反り）を考慮して、この反りよりも凸状部１６の高さ寸法Ｌ１が高くなるように設定される。
【００４３】
なお、図示例では、凸状部１６がフランジ部１３ａの略全面にわたって形成されている場合を示したが、フランジ部１３ａと化粧パネル３との接触状態が保たれるのであればその具体的な形状は適宜変更可能である。ただし、この凸状部１６は、上述したように、化粧ボタン４の揺動支点として機能することになるので、できるだけフランジ部１３ａの先端部分を含んで形成されるようにしておくのが望ましい。
【００４４】
化粧ボタン取付部１４は、化粧ボタン４を化粧パネル３に取り付ける際の接着しろ（超音波溶着の施工個所）を構成する部位であって、本実施形態では、この化粧ボタン取付部１４は、上記接着しろとしての機能に加えて、ボタン本体部１２に対して押下操作に抗する弾性（弾力）を付与する役割と、隣接するボタン本体部１２同士を連結する連結部としての役割も果たすように構成されている。
【００４５】
このような役割を果たす化粧ボタン取付部１４は、上述したフランジ部１３の張り出し方向に延出して形成されている。具体的には、ボタン本体部１２の長手方向に沿って形成されるフランジ部１３ｂの左端または右端からボタン本体部１２に操作時の弾力を与える揺動アーム部１４ａが延出形成されており、この揺動アーム部１４ａの先に化粧パネル３の背面と接着させるための接着しろ部１４ｂが形成されている。すなわち、ボタン本体部１２は、揺動アーム部１４ａによって化粧パネル３との接着部位（つまり、接着しろ部１４ｂ）から一定の距離が保たれるようになっており、この揺動アーム部１４ａを介することでボタン本体部１２には押下操作に抗する弾性が付与されている。
【００４６】
なお、この揺動アーム部１４ａは、図３（ａ）に示すように、ボタン本体部１２の上下に一対設けられるフランジ部１３ｂ，１３ｂの左端または右端に交互に設けられており、ボタン本体部１２の操作面１２ａの左右いずれの端部が操作された場合でもほぼ均等な弾力が得られるようにされている。また、上記接着しろ部１４ｂは、化粧ボタン４を上記化粧パネル３のガイドリブ１０に嵌め合わせたときに、上記接着リブ１１と対応するように配置されている。また、この接着しろ部１４ｂにおいて化粧パネル３の背面と対面する面は、上述したフランジ部１３ｂにおいて化粧パネル３の背面と対面する面と同一平面となっており、上述したフランジ部１３ａの凸状部１６はこの面から寸法Ｌ１だけ突出するようになっている。
【００４７】
また、本実施形態では、装置本体２の押しボタン式のスイッチ５は、上下に３個ずつ設けられているので、これに対応して化粧ボタン４には３個のボタン本体１２が上述した化粧ボタン取付部１４によって上下に並列して連結されている。
【００４８】
しかして、このように構成された化粧ボタン４は、図５（ｂ）に示すように、化粧パネル３の背面に突出して設けたガイドリブ１０で囲まれたところに化粧ボタン４を嵌め合わせて、ボタン本体部１２の操作面１２ａが化粧ボタン挿通窓９から化粧パネル３の正面に突出状態で露出するようにセット（化粧ボタン４のフランジ部１３が化粧パネル３の背面に接触するようにセット）して、この状態で化粧パネル３に取り付けられる。つまり、この状態で上記接着しろ部１４ｂのところが超音波溶着される。なお、この工程は、上記表示部等の露出窓８の左右両側についてそれぞれ行われる。
【００４９】
このようにして、化粧パネル３への化粧ボタン４の取り付けが完了すると、次に、化粧パネル３に装置本体２を嵌合・収容し、これによりリモコン１が形成されている。
【００５０】
次に、このように構成されたリモコン１における化粧ボタン４の動作を図６に基づいて説明する。
【００５１】
図６は、化粧ボタン４の押下操作に伴う化粧ボタン４の動作を示す説明図であって、図６（ａ）は押下操作前の状態を示す化粧ボタン周辺を模式的に示した部分拡大断面図であり、図６（ｂ）は押下操作時の状態を示す化粧ボタン周辺を模式的に示した部分拡大断面図である。
【００５２】
なお、図において符号２０は、押しボタン式スイッチ５における操作ボタンを示しており、また、符号２１は上記操作ボタン２０が押下されることによって制御基板上の接点（図示せず）を導通させるスイッチ本体を示している。また、符号２２は装置本体２に貼付された防水シートを示している。
【００５３】
本実施形態に示すリモコン１では、化粧ボタン４の操作面１２ａに対する操作（押下操作）が行われる前は、図６（ａ）に示すように、化粧ボタン４の長手方向両端に形成されたフランジ部１３ａ，１３ａの凸状部１６，１６がそれぞれ化粧パネル３の背面と密着するように接触している。つまり、この凸状部１６は、上述したように、フランジ部１３から延出されている接着しろ部１４ｂの化粧パネル３の背面と対面する面から寸法Ｌ１だけ突出して形成しているので、この高さ寸法Ｌ１によって凸状部１６は化粧パネル３の背面に付勢された状態で当接されている。
【００５４】
そして、化粧ボタン４の操作面１２ａの長手方向の端部（図において矢符で示す位置）に対して押下操作がなされると、このリモコン１では、上記凸状部１６が化粧パネル３の背面と密着状態（つまり、遊びがない状態）で接触しているので、その押下操作によって当該操作が行われた側と反対側にある凸状部１６を揺動支点としてボタン本体部１２が旋回揺動し、これによってボタン本体部１２の基端面１２ｂで下方に張り出している中央領域部分が操作ボタン２０の頭部を押し込むように作用する。つまり、化粧ボタン４の揺動支点となる側の凸状部１６が隙間のない状態で化粧パネル３の背面と接触状態を維持しているので、押下操作に伴って速やかに操作ボタン２０の押し込みが開始される。
【００５５】
しかも、本実施形態では、フランジ部１３ａが左右に可及的に長く張り出して形成されているので、操作面１２ａの長手方向の端部に押下操作がなされた場合、押下操作がなされた場所（力点）から揺動支点が遠いので、化粧ボタン４を深く操作することができ、操作ボタン２０を確実に押し込むことができる。
【００５６】
したがって、化粧ボタン４の操作面１２ａの中央部だけでなく、操作面１２ａの端部が操作されたときでも、常に、押しボタン式のスイッチ５の操作ボタン２０が確実に押し込まれ、操作者に心地よいクリック感を伝えつつ押しボタン式のスイッチ５を確実に操作できるようになる。
【００５７】
実施形態２
次に、本発明の第２の実施形態を図７に基づいて説明する。
この図７に示すリモコンは、上述した実施形態１に示すリモコンにおいて凸状部１６を設ける位置を改変したものであって、その他の基本構成は実施形態１に示すリモコン１と共通するので、構成が共通する部分には同一の符号を付して説明を省略する。
【００５８】
すなわち、この実施形態２に示すリモコンでは、上記フランジ部１３ａと化粧パネル３の背面との接触状態を保つための凸状部１６′が化粧パネル３の背面、すなわち、化粧ボタン４のフランジ部１３と対面する部位にフランジ部１３に向かって突出して形成されている。
【００５９】
そのため、この実施形態２に示すリモコンでは、化粧ボタン４のフランジ部１３ａにおいて、化粧パネル３の背面と対面する面は、ボタン本体部１２の長手方向に沿って形成されるフランジ部１３ｂや接着しろ部１４ｂにおいて化粧パネル３の背面と対面する面と同一平面を形成している。
【００６０】
なお、このように凸状部１６′の位置を化粧パネル３側に変更しても上述した実施形態１と同様の作用効果が得られ、本実施形態に示すリモコンでも化粧ボタン４を深く操作することができ、押しボタン式のスイッチ５の操作ボタン２０が確実に押し込まれ、操作者に心地よいクリック感を伝えつつ押しボタン式のスイッチ５を確実に操作できる。
【００６１】
なお、上述した実施形態は本発明の好適な実施態様を示すものであって、本発明はこれらに限定されることなく発明の範囲内で種々の設計変更が可能である。
【００６２】
たとえば、上述した実施形態では、化粧ボタン４の操作面１２ａは、左右に細長い略長方形状を呈するように構成した場合を示したが、操作面１２ａの形状は適宜変更可能である。ただし、ボタン本体部１２は、化粧ボタン挿通窓９に挿通されるものであることから、ボタン本体部１２は操作面１２ａの形状に対応した柱状のブロックで形成される。
【００６３】
また、上述した実施形態では、化粧ボタン４の操作面１２ａを左右に細長い略長方形状にしているので、長手方向両端のフランジ部１３ａのみを可及的に長く設定したが、操作面１２ａの形状に応じて長く設定するフランジ部１３の位置は適宜変更可能である。
【符号の説明】
【００６４】
１                リモコン
２                装置本体
３                化粧パネル
４                化粧ボタン
５                押しボタン式のスイッチ
６                表示デバイス
７                操作スイッチ群
８                表示部等の露出窓
９                化粧ボタン挿通窓（開口部）
１０              ガイドリブ
１１              接着リブ
１２              ボタン本体部
１２ａ            操作面
１３              フランジ部
１４              化粧ボタン取付部
１６              凸状部
２０              押しボタン式スイッチの操作ボタン
２１              押しボタン式スイッチのスイッチ本体
【図１】
0005659857.tif 000002
【図２】
0005659857.tif 000003
【図３】
0005659857.tif 000004
【図４】
0005659857.tif 000005
【図５】
0005659857.tif 000006
【図６】
0005659857.tif 000007
【図７】
0005659857.tif 000008